(57)【特許請求の範囲】
【請求項１】
床面に設置されるケース（１）にガイドピン（２）を上方に突出可能に収納した床面設置部材（３）と、前記ガイドピン（２）が挿入される吊り戸本体（４）の案内溝部材（５）とを備え、前記ガイドピン（２）を、ケース（１）に摺動可能に収納された第２ガイド（２２）と、該第２ガイド（２２）の内部に摺動可能に収納された第１ガイド（２１）とにより入れ子状に形成するとともに、案内溝部材（５）の案内溝（６）の端部（６ａ）で突出させた第１ガイド（２１）を、案内溝（６）の移行部（６ｂ）を介して、案内溝（６）の中間部（６ｃ）に導入し、該案内溝（６）の中間部（６ｃ）の開口端縁部の幅を所要幅に狭く形成することにより設けた鍔状のレール部（８）に、第１ガイド（２１）に形成した細首部（２３）を挿入して第１ガイド（２１）を保持するようにした吊り戸の下部振止装置において、前記案内溝部材（５）の案内溝（６）の端部（６ａ）と移行部（６ｂ）にのみガイドピンを吸着するようにする磁石（９）を配設し、前記案内溝（６）の端部（６ａ）の長手方向の全長に亘って、開口端縁部から案内溝（６）内に斜めに突出し、前記第１ガイド（２１）を、第１ガイド（２１）の直径より大きく、第２ガイド（２２）の直径より小さい幅に形成した案内溝（６）の天面に案内し、吸着させるとともに、前記第２ガイド（２２）と当接して第２ガイド（２２）の案内溝（６）への第１ガイド（２１）との共上がりを阻止する傾斜側壁（７）を形成したことを特徴とする吊り戸の下部振止装置。
【発明の詳細な説明】
【技術分野】
【０００１】
本発明は、吊り戸の下部振止装置に関し、特に、ガイドピンの保持を確実にして吊り戸を安定的にガイドできるようにした吊り戸のガイド装置に関するものである。
【背景技術】
【０００２】
従来、例えば、下記の特許文献１に開示されるように、天井レールにランナーを介して走行自在に吊り下げられた吊り戸に対し、床面に設置した床面設置部材に磁力によって突出可能に設けられたガイドピンが、吊り戸本体の下面に形成された案内溝に挿入されることにより、吊り戸のガイドを行う吊り戸の下部振止装置が知られている。
【０００３】
この吊り戸の下部振止装置は、床面に設置されるケースにガイドピンを上方に突出可能に収納した床面設置部材と、前記ガイドピンが挿入される吊り戸本体の案内溝部材とを備え、前記ガイドピンを、ケースに摺動可能に収納された第２ガイドと、該第２ガイドの内部に摺動可能に収納された第１ガイドとにより入れ子状に形成するとともに、案内溝部材の端部で突出させた第１ガイドを、所要幅狭く形成した案内溝の中間部に導入するようにしている。
【０００４】
この吊り戸の下部振止装置は、幅広く形成した端部の案内溝で磁力によりガイドピンを突出させるとともに、その第１ガイドを、幅を狭くした案内溝の中間部に導入することにより、揺れの少ない吊り戸のガイドを行うようにしている。
【０００５】
しかしながら、これら従来の吊り戸の下部振止装置では、吊り戸の下端位置が低いなど、案内溝部材と床面設置部材との距離が近すぎる場合に、第１ガイドに従動して引き上げられた第２ガイドが想定位置より上に突出し、この突出した第２ガイドが幅狭の案内溝の中間部の入口に引っ掛かり、吊り戸が移動できなくなるという問題があった。
【特許文献１】特開２００５−１６３３８４号公報
【発明の開示】
【発明が解決しようとする課題】
【０００６】
本発明は、上記従来の吊り戸の下部振止装置が有する問題点に鑑み、第２ガイドの突出高さを制限することにより、第２ガイドと案内溝の中間部との干渉を防止し、案内溝部材と床面設置部材との距離が近い場合でも、第１ガイドのみを確実に案内溝の中間部に導入し、吊り戸を安定的にガイドできるようにした吊り戸のガイド装置を提供することを目的とする。
【課題を解決するための手段】
【０００７】
上記目的を達成するため、本発明の吊り戸の下部振止装置は、床面に設置されるケースにガイドピンを上方に突出可能に収納した床面設置部材と、前記ガイドピンが挿入される吊り戸本体の案内溝部材とを備え、前記ガイドピンを、ケースに摺動可能に収納された第２ガイドと、該第２ガイドの内部に摺動可能に収納された第１ガイドとにより入れ子状に形成するとともに、案内溝部材の案内溝の端部で突出させた第１ガイドを、案内溝の移行部を介して、案内溝の中間部に導入し、該案内溝の中間部の開口端縁部の幅を所要幅に狭く形成することにより設けた鍔状のレール部に、第１ガイドに形成した細首部を挿入して第１ガイドを保持するようにした吊り戸の下部振止装置において、前記案内溝部材の案内溝の端部と移行部にのみガイドピンを吸着するようにする磁石を配設し、前記案内溝の端部の長手方向の全長に亘って、開口端縁部から案内溝内に斜めに突出し、前記第１ガイドを、第１ガイドの直径より大きく、第２ガイドの直径より小さい幅に形成した案内溝の天面に案内し、吸着させるとともに、前記第２ガイドと当接して第２ガイドの案内溝への第１ガイドとの共上がりを阻止する傾斜側壁を形成したことを特徴とする。
【発明の効果】
【０００８】
本発明の吊り戸の下部振止装置によれば、案内溝の端部で開口端縁部から案内溝内に斜めに突出し、前記第１ガイドを案内溝に案内するとともに、前記第２ガイドと当接して第２ガイドの案内溝への第１ガイドとの共上がりを阻止する傾斜側壁を設けることから、第２ガイドの突出高さを傾斜側壁で案内溝の所定位置より下に制限することにより、第２ガイドと案内溝の中間部との干渉を防止することができ、これにより、案内溝部材と床面設置部材との距離が近い場合でも、第１ガイドのみを確実に案内溝の中間部に導入し、吊り戸を安定的にガイドすることができる。
【０００９】
そして、第１ガイドに細首部を形成するとともに、該細首部に側方から挿入して第１ガイドを保持する鍔状のレール部を案内溝の中間部に設けることにより、案内溝の中間部で磁力がなくてもガイドピンの保持を確実にし、吊り戸を安定的にガイドすることができる。
【発明を実施するための最良の形態】
【００１０】
以下、本発明の吊り戸の下部振止装置の実施の形態を図面に基づいて説明する。
【実施例１】
【００１１】
図１〜図４に、本発明の吊り戸の下部振止装置の一実施例を示す。
【００１２】
この吊り戸の下部振止装置は、床面に設置されるケース１にガイドピン２を上方に突出可能に収納した床面設置部材３と、前記ガイドピン２が挿入される吊り戸本体４の案内溝部材５とを備えている。
そして、前記ガイドピン２を、ケース１に摺動可能に収納された第２ガイド２２と、該第２ガイド２２の内部に摺動可能に収納された第１ガイド２１とにより入れ子状に形成するとともに、案内溝部材５の端部６ａで磁力により突出させた第１ガイド２１を、所要幅狭く形成した案内溝の中間部６ｃに導入するようにしている。
【００１３】
本実施例の吊り戸の下部振止装置は、かかる構成において、前記案内溝６の端部６ａで開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７を設けている。
また、第１ガイド２１に細首部２３を形成するとともに、該細首部２３に側方から挿入して第１ガイド２１を保持する鍔状のレール部８を案内溝の中間部６ｃに設けている。
【００１４】
第１ガイド２１は、図３に示すように、外周部の対向する２箇所に摺動突起（図示省略）を備え、これらの摺動突起は、第２ガイド２２のスリット溝（図示省略）にそれぞれ嵌入されるとともに、第２ガイド上部で係合して第２ガイド２２を従動的に突出させる。
この第１ガイド２１の上部には、下部が細径となる鉄等の磁性体材料からなる頭部２４が固定されており、この頭部２４下の細径部により細首部２３が形成されている。
また、第２ガイド２２は、ケース１に直接収納されており、ケース１は、アウターケース１ａを介して床に設置される。
【００１５】
一方、吊り戸本体４は、図４に示すように、天井レールにランナー（図示省略）を介して走行自在に吊り下げられており、吊り戸本体４の下面には、床面設置部材３の突出したガイドピン２がその案内溝６に挿入される案内溝部材５が配設されている。
案内溝部材５は、案内溝６の端部６ａと移行部６ｂにのみガイドピン２を吸着する磁石９が配設されている。
【００１６】
この案内溝部材５は、図１に示すように、案内溝６の端部６ａで磁力により突出させた第１ガイド２１を、所要幅狭く形成した案内溝の中間部６ｃに導入するようにしている。
この場合、本実施例では、案内溝の中間部６ｃの鍔状のレール部８が、吊り戸本体４の移動により、第１ガイド２１の細首部２３に挿入されるようにしている。
なお、案内溝の移行部６ｂは、案内溝の端部６ａから中間部６ｃにガイドピン２が円滑に移行するための移行する部分であり、案内溝６の溝幅が中間部６ｃに向けて漸次狭くなるように形成されている。
【００１７】
案内溝６の端部６ａには、図１（ｃ）に示すように、その開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７が設けられている。
傾斜側壁７は、１対のものが対向するように形成されるとともに、長手方向に連続して同じ形状に形成されており、第２ガイド２２の前部がレール部８にさしかかる位置まで設けられている。
【００１８】
次に、本実施例の吊り戸の下部振止装置の作用を説明する。
この吊り戸の下部振止装置は、吊り戸本体４が、床面に設置された床面設置部材３の上方位置に来ると、図１（ｃ）に示すように、案内溝６の端部６ａに配設した磁石９によって、第１ガイド２１の頭部２４が吸着され、第１ガイド２１、さらにこれに従動するように第２ガイド２２がケース１内から上方に突出することがあるが、この場合、案内溝６の端部６ａには、前記傾斜側壁７が設けられているため、第１ガイド２１は斜面によって案内溝６の奥まで案内されるが、第２ガイド２２は、その上部が傾斜側壁７に当接するため、床面設置部材３と案内溝部材５の距離が短い場合でも、第２ガイド２２の案内溝６への第１ガイド２１との共上がりが阻止される。
そして、吊り戸本体４が移動することにより、図１（ｄ）に示すように、第２ガイド２２と案内溝の中間部６ｃとの干渉が防止された状態で、第１ガイド２１の細首部２３に案内溝６の鍔状のレール部８が側方から挿入され、ガイドピン２が保持される。
これにより、ガイドピン２を吸着する磁石９が存在しない案内溝の中間部６ｃにおいても、ガイドピン２を確実に保持することができる。
なお、吊り戸本体４が、床面に設置された床面設置部材３の上方位置から去ると、ガイドピン２（第１ガイド２１及び第２ガイド２２）は重力によりケース１内に退入する。
【００１９】
かくして、本実施例の吊り戸の下部振止装置は、案内溝６の端部６ａで開口端縁部から案内溝６内に斜めに突出し、前記第１ガイド２１を案内溝６に案内するとともに、前記第２ガイド２２と当接して第２ガイド２２の案内溝６への第１ガイド２１との共上がりを阻止する傾斜側壁７を設けることから、第２ガイド２２の突出高さを傾斜側壁７で案内溝６の所定位置より下に制限することにより、第２ガイド２２と案内溝の中間部６ｃとの干渉を防止することができ、これにより、案内溝部材５と床面設置部材３との距離が近い場合でも、第１ガイド２１のみを確実に案内溝の中間部６ｃに導入し、吊り戸を安定的にガイドすることができる。
そして、第１ガイド２１に細首部２３を形成するとともに、該細首部２３に側方から挿入して第１ガイド２１を保持する鍔状のレール部８を案内溝の中間部６ｃに設けることにより、案内溝の中間部６ｃで磁力がなくてもガイドピン２の保持を確実にし、吊り戸を安定的にガイドすることができる。
【００２０】
以上、本発明の吊り戸の下部振止装置について、その実施例に基づいて説明したが、本発明の吊り戸の下部振止装置は、上記実施例の構成に限定されるものではなく、その趣旨を逸脱しない範囲において適宜に変更することが可能である。
例えば、本発明の構成は、磁力を案内溝の中間部６ｃまで作用させることにより、図３（ｃ）に示すような、細首部２３やレール部８のない吊り戸の下部振止装置においても、実施して同様の作用効果を得ることができる。
【産業上の利用可能性】
【００２１】
本発明の吊り戸の下部振止装置は、第２ガイドの突出高さを制限することにより、第２ガイドと案内溝の中間部との干渉を防止し、第１ガイドのみを確実に案内溝の中間部に導入して吊り戸を安定的にガイドすることから、例えば、案内溝部材と床面設置部材との距離が変化したり近かったりする場合に好適に用いることができる。
【図面の簡単な説明】
【００２２】
【図１】本発明の吊り戸の下部振止装置の一実施例を示し、（ａ）は案内溝部材の正面縦断面図、（ｂ）は同底面図、（ｃ）は端部の案内溝でガイドピンが突出した状態を示す断面図、（ｄ）は案内溝の中間部でガイドピンが突出した状態を示す断面図である。
【図２】案内溝部材を示し、（ａ）は平面図、（ｂ）は正面図、（ｃ）は（ａ）のＡ−Ａ線断面図、（ｄ）は同Ｂ−Ｂ線断面図、（ｅ）は同Ｃ−Ｃ線矢視図である。
【図３】床面設置部材を示し、（ａ）はガイドピンが突出した状態を示す断面図、（ｂ）はガイドピンが退入した状態を示す断面図、（ｃ）は床面設置部材の他の実施例を示す断面図である。
【図４】吊り戸本体と案内溝部材を示し、（ａ）は正面断面図、（ｂ）は底面図である。
【符号の説明】
【００２３】
１    ケース
２    ガイドピン
２１  第１ガイド
２２  第２ガイド
２３  細首部（細径部）
２４  頭部
３    床面設置部材
４    吊り戸本体
５    案内溝部材
６    案内溝
６ａ  端部
６ｂ  移行部
６ｃ  中間部
７    傾斜側壁
８    レール部
９    磁石
【図１】
0004768513.tif 000002
【図２】
0004768513.tif 000003
【図３】
0004768513.tif 000004
【図４】
0004768513.tif 000005